(57)【要約】【課題】家庭用薄葉紙の詰め替えを容易に行うことができる家庭用薄葉紙収納容器を実現する。【解決手段】家庭用薄葉紙収納容器１００は、弾性変形可能な取出部１１０を備えているので、その取出部１１０の面部１１１を容器本体１０１の内側に押し込んで変形させることで取出孔１１２の開口を広げて、その取出孔１１２部分に家庭用薄葉紙Ｐの一端を接触させつつ面部１１１を当初の形状に復元させる際に、取出孔１１２に家庭用薄葉紙Ｐを食い込ませることで、家庭用薄葉紙Ｐを取出孔１１２に容易に挿通させて、家庭用薄葉紙Ｐの詰め替えを容易に行うことを可能にした。【選択図】図１
2010247899.tif 000002
【特許請求の範囲】
【請求項１】
内側に家庭用薄葉紙を収納するとともに、収納された前記家庭用薄葉紙を外側に取り出す取出部を具備する容器本体と、前記容器本体に前記取出部を開閉するように取り付けられた蓋体と、を備える家庭用薄葉紙収納容器であって、
前記取出部は、弾性変形可能な面部と、前記面部に設けられて前記家庭用薄葉紙が挿通される取出孔と、を備え、
前記面部が前記容器本体の内側に向けて押し込まれる際に、前記取出孔の開口が広がり、その押し込まれた前記面部が前記容器本体の外側に向けて復元する際に、前記取出孔の開口が当初のサイズに戻ることを特徴とする家庭用薄葉紙収納容器。
【請求項２】
前記容器本体の内側に向けて押し込まれた前記面部が前記容器本体の外側に向けて復元する際、前記面部の内面側となる前記取出孔部分にあてがわれた前記家庭用薄葉紙が前記取出孔の開口に食い込み、前記取出孔を通じて前記容器本体の外側に導出されることを特徴とする請求項１に記載の家庭用薄葉紙収納容器。
【請求項３】
前記面部は、前記容器本体の外側に凸となる略球面形状を有しており、前記容器本体の内側に向けて押し込まれて弾性変形された前記面部が反発することで、前記容器本体の外側に凸となるように復元することを特徴とする請求項１又は２に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、収納容器の取出口部に着脱可能に備えられるパッキンであって、パッキンの中央側に形成された小さな取出孔と、パッキンの外周から取出孔につながるスリット状の切欠部が形成されているものが知られている（例えば、特許文献１参照。）。
このパッキンを備える収納容器に新たな家庭用薄葉紙を装填する際に、家庭用薄葉紙の１枚目の端部をパッキンの切欠部を通じて取出孔に容易に通すことができ、家庭用薄葉紙が取出孔に通されたパッキンを取出口部に嵌着することで、スリット状の切欠部が閉じるので、取出孔から引き出す家庭用薄葉紙をミシン目で切断しつつ、１枚ずつ取り出すことができるようになっている。
【先行技術文献】
【特許文献】
【０００３】
【特許文献１】特開２００８−７４４５７号公報
【発明の概要】
【発明が解決しようとする課題】
【０００４】
しかしながら、上記特許文献１の場合、収納容器に新たな家庭用薄葉紙を詰め替える度に、パッキンの着脱を行わなければならず、その詰め替え作業が煩わしくなることがあるという問題や、取り外したパッキンを紛失してしまうと収納容器の使用ができなくなるという問題が生じることがあった。
また、パッキンを取出口部に嵌着したままの状態で、取出孔に家庭用薄葉紙を挿通させることは困難であり、家庭用薄葉紙を取出孔に押し込むためには、先端が細い棒状部材を用意しなければならない煩わしさがあった。
【０００５】
本発明の目的は、家庭用薄葉紙の詰め替えを容易に行うことができる家庭用薄葉紙収納容器を提供することである。
【課題を解決するための手段】
【０００６】
以上の課題を解決するため、請求項１に記載の発明は、
内側に家庭用薄葉紙を収納するとともに、収納された前記家庭用薄葉紙を外側に取り出す取出部を具備する容器本体と、前記容器本体に前記取出部を開閉するように取り付けられた蓋体と、を備える家庭用薄葉紙収納容器であって、
前記取出部は、弾性変形可能な面部と、前記面部に設けられて前記家庭用薄葉紙が挿通される取出孔と、を備え、
前記面部が前記容器本体の内側に向けて押し込まれる際に、前記取出孔の開口が広がり、その押し込まれた前記面部が前記容器本体の外側に向けて復元する際に、前記取出孔の開口が当初のサイズに戻ることを特徴とする。
【０００７】
請求項２に記載の発明は、請求項１に記載の家庭用薄葉紙収納容器において、
前記容器本体の内側に向けて押し込まれた前記面部が前記容器本体の外側に向けて復元する際、前記面部の内面側となる前記取出孔部分にあてがわれた前記家庭用薄葉紙が前記取出孔の開口に食い込み、前記取出孔を通じて前記容器本体の外側に導出されることを特徴とする。
【０００８】
請求項３に記載の発明は、請求項１又は２に記載の家庭用薄葉紙収納容器において、
前記面部は、前記容器本体の外側に凸となる略球面形状を有しており、前記容器本体の内側に向けて押し込まれて弾性変形された前記面部が反発することで、前記容器本体の外側に凸となるように復元することを特徴とする。
【発明の効果】
【０００９】
本発明によれば、家庭用薄葉紙収納容器は、弾性変形可能な面部に設けられた取出孔を有する取出部を備えており、その取出孔に挿通された家庭用薄葉紙を引き出して使用することができる。
この家庭用薄葉紙収納容器に家庭用薄葉紙を詰め替える際、取出部の面部を容器本体の内側に押し込んで変形させることで取出孔の開口を広げることができるので、その開口が広がった取出孔に家庭用薄葉紙を挿入しやすくなる。
また、内側に押し込まれた面部が容器本体の外側に向けて復元する際に、広がった取出孔の開口が当初のサイズに戻るので、その広がった取出孔部分に家庭用薄葉紙をあてがいつつ面部を当初の形状に復元させることで、その取出孔に家庭用薄葉紙を食い込ませることができる。つまり、取出部の面部の弾性変形を利用して取出孔に家庭用薄葉紙を容易に挿通させることができる。
このように、取出部の取出孔に家庭用薄葉紙を挿通させ易い家庭用薄葉紙収納容器は、家庭用薄葉紙の詰め替えを容易に行うことができる収納容器であるといえる。
【図面の簡単な説明】
【００１０】
【図１】本発明を適用した実施形態として例示する家庭用薄葉紙収納容器を正面上方から見た斜視図である。
【図２】家庭用薄葉紙収納容器における取出部を示す斜視図である。
【図３】容器本体上部における蓋を示す断面図である。
【図４】蓋の取出部を弾性変形させた状態を示す断面図である。
【図５】取出部の取出孔に家庭用薄葉紙を使用可能に挿通させた状態を示す断面図である。
【図６】本発明を適用した異なる実施形態として例示する家庭用薄葉紙収納容器を正面上方から見た斜視図である。
【図７】図６の取出部を拡大して示す下面図であり、面部が上方に凸となった状態（ａ）と、面部が下方に押し込まれた状態（ｂ）である。
【図８】本発明を適用した異なる実施形態として例示する家庭用薄葉紙収納容器を正面上方から見た斜視図である。
【発明を実施するための形態】
【００１１】
以下、図を参照して、本発明に係る家庭用薄葉紙収納容器の具体的な態様を詳細に説明する。ただし、発明の範囲は、図示例に限定されない。
【００１２】
図１は、本発明を適用した好適な実施形態として例示する家庭用薄葉紙収納容器１００を正面上方から見た斜視図であり、図２は、家庭用薄葉紙収納容器１００における取出部１１０を示す斜視図であり、図３は、容器本体１０１上部における蓋１０３の断面図である。図４、図５は、家庭用薄葉紙収納容器１００の取出部１１０から家庭用薄葉紙Ｐを取り出す際の取り出し動作を示す説明図である。
【００１３】
家庭用薄葉紙収納容器１００は、図１〜図５に示すように、例えば、内側にロール状の家庭用薄葉紙Ｐ（例えば、ロール状に巻かれたウェットシートやウェットティッシュ等のロールペーパー）を収納するとともに、収納された家庭用薄葉紙Ｐを外側に取り出す取出部１１０を具備する容器本体１０１と、この容器本体１０１に取出部１１０を開閉するように取り付けられた蓋体としての小蓋１２０と、を備えて構成されている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、小蓋１２０が容器本体１０１（蓋１０３）に支持されている側を後側とし、その反対側を手前側とする。さらに、正面視にて左右方向（幅方向）をＹ軸方向とし、上下方向をＺ軸方向とする。
【００１４】
容器本体１０１は、容器本体１０１の下部をなす有底円筒形状のボトル１０２と、容器本体１０１の上部をなす蓋１０３とで構成されている。
【００１５】
ボトル１０２の上端には開口部１０２ａが設けられており（図５参照）、このボトル１０２の上端部の外周面には、周方向に沿って雄ネジ部１０２ｂが設けられている（図５参照）。なお、図１、図５では、ボトル１０２の下部（底部）の図示を省略して記載している。
このボトル１０２は、例えば、ＰＥ（ポリエチレン）やＰＰ（ポリプロピレン）、或いはＰＥＴ（ポリエチレンテレフタレート）、ＡＢＳ樹脂等から形成されている。
【００１６】
蓋１０３は、天面部１０３ａを有するとともに下端部が開放された円筒形状をなし、開放された下端部の内周面にはボトル１０２の雄ネジ部１０２ｂと螺合する雌ネジ部１０３ｂが設けられている。
この蓋１０３は、例えば、ＰＥ（ポリエチレン）やＰＰ（ポリプロピレン）、或いはＰＥＴ（ポリエチレンテレフタレート）、ＡＢＳ樹脂等から形成されている。
【００１７】
そして、容器本体１０１は、ボトル１０２と蓋１０３とが雄ネジ部１０２ｂと雌ネジ部１０３ｂを介した脱着自在な連結構造をとり、ボトル１０２に対して蓋１０３を開閉自在としているので、ボトル１０２から蓋１０３を取り外した状態で、ボトル１０２の内部に家庭用薄葉紙Ｐを収納したり、内部から家庭用薄葉紙Ｐを取り出したりすることができるようになっている。なお、本実施形態では、家庭用薄葉紙Ｐが、上下方向（Ｚ軸方向）に沿った軸心にロール状に巻かれた状態で容器本体１０１に収納されるようになっている。
【００１８】
また、容器本体１０１の一部を成す蓋１０３の天面部１０３ａには、容器本体１０１の内部に収納された家庭用薄葉紙Ｐを容器本体１０１の外側に引き出すための取出部１１０と、その天面部１０３ａに回動可能に取り付けられて取出部１１０を開閉する小蓋１２０と、が設けられている。
なお、取出部１１０は、小蓋１２０より前後方向（Ｘ軸方向）手前側に設けられている。つまり、小蓋１２０は、蓋１０３の天面部１０３ａにおいて、取出部１１０の後方に回動可能に取り付けられており、その小蓋１２０は、取出部１１０に後方から覆い被さるようになっている。
【００１９】
取出部１１０は、例えば、図１、図３に示すように、蓋１０３の天面部１０３ａにおける凹部１０４のほぼ中央側に形成された取付口１０６に配設されている。なお、取付口１０６の周囲には、取出部１１０を囲うように円筒環形状に立設された円筒環状部１０５が設けられている。
そして、取出部１１０は、図２に示すように、容器本体１０１の外側に凸となる略球面形状を呈する面部１１１と、面部１１１の略中央となる頂部に形成された開口である取出孔１１２と、面部１１１の外周を成し、蓋１０３における取付口１０６に係着する係着部１１３と、を有している。
この取出部１１０は、例えば、シリコンゴムにより成型されてなる弾性変形可能な略ドーム状の部材である。シリコンゴムは、耐久性に優れており、家庭用薄葉紙Ｐを詰め替えて家庭用薄葉紙収納容器１００を繰り返し使用する場合でも、取出部１１０の弾性変形性は維持されるので、長期に亘って好適に家庭用薄葉紙Ｐを取り出すことを可能にする。また、シリコンゴムは、耐薬品性に優れているので、ウェットタイプの家庭用薄葉紙Ｐに染み込まされている薬液が含有するアルコールなどによって変質してしまうことがなく、長期に亘る使用が可能になる。
なお、取出部１１０に用いる材料は、シリコンゴムであることに限らず、軟質樹脂材料であるスチレン−ブタジエン系、ポリエステル系、ポリエチレン系、ウレタン系等の熱可塑性エラストマーを使用することができる。またその他、任意の樹脂材料で取出部１１０を形成してもよい。
【００２０】
面部１１１は、家庭用薄葉紙Ｐの取り出し方向である上下方向に弾性変形可能であり、容器本体１０１（蓋１０３）の外側に凸となる所定の略球面形状を維持し、その所定形状に復元するように変形可能となっている。
つまり、面部１１１が、外側から内側に向けて押し込まれて、容器本体１０１の内側に凸となるように弾性変形されると、その面部１１１は所定形状に復元する反発力によって外側に凸となる略球面形状に戻るようになっている。
【００２１】
取出孔１１２は、容器本体１０１の内部と連通する小さな開口であり、略円形状を呈している。この取出孔１１２は、面部１１１の変形に伴い、その開口のサイズが広がったり狭まったりするようになっている。
【００２２】
係着部１１３は、断面視略コ字形状を呈し、周方向に沿った括れ部１１３ａを有しており、その括れ部１１３ａの上下側となる係着部１１３で、取付口１０６の縁を挟み込むように係着し、取出部１１０を蓋１０３に固定するようになっている。
【００２３】
小蓋１２０は、例えば、蓋１０３の天面部１０３ａにＹ軸方向に沿って配された図示しない回動軸により軸支され、その天面部１０３ａに対して回動可能に配設されており、閉蓋状態と開蓋状態とに切り替えられるようになっている。
この小蓋１２０は、閉蓋状態と開蓋状態のそれぞれの配置において、それぞれ安定した状態に配されるように、例えば、可動範囲内における所定の回動角度（例えば、図３参照）よりも取出部１１０に接近された際には閉蓋状態となるように付勢され、また、上記所定の回動角度よりも取出部１１０から離間された際には開蓋状態となるように付勢されている。
【００２４】
なお、小蓋１２０は、天面部１０３ａに回動軸によって軸支されていることに限らず、例えば、蓋１０３と一体に成形されたものであってもよく、その蓋１０３の天面部１０３ａに対して、その天面部１０３ａの厚さをＹ軸方向に沿って一部薄くなる折り目を形成することにより、Ｙ軸方向に沿った折り目を軸線に折曲されるキャップとすることで、その折り目を軸心とするように回動可能にし、取出部１１０を開閉する構成としてもよい。
【００２５】
また、小蓋１２０の下面には、取出部１１０を閉蓋状態とした際に、蓋１０３の円筒環状部１０５と嵌合する嵌合部１２１が設けられている。
この嵌合部１２１は、小蓋１２０の下面から円筒環状に突設されており、取出部１１０を小蓋１２０で閉蓋する際に、円筒環状部１０５の外周が嵌合部１２１の内周と密接するように内挿されるようになっている。
この小蓋１２０で取出部１１０を閉蓋した際に、円筒環状部１０５と嵌合部１２１とが嵌め合わさることで、容器本体１０１内のウェットタイプの家庭用薄葉紙Ｐが乾燥してしまうことを防ぐことができる。
【００２６】
次に、家庭用薄葉紙収納容器１００に、家庭用薄葉紙Ｐを詰め替える際の作用について説明する。
【００２７】
家庭用薄葉紙収納容器１００に家庭用薄葉紙Ｐを詰め替える場合、まず、図３に示すように、ボトル１０２から蓋１０３を外す。その蓋１０３が外されたボトル１０２の開口部１０２ａからボトル１０２内に家庭用薄葉紙Ｐを収納し、内部に収納された家庭用薄葉紙Ｐの１枚目の端部を開口部１０２ａ側に摘み出しておく。
【００２８】
そして、ボトル１０２から外された蓋１０３において、当初外側に凸となる略球面形状を有している取出部１１０の面部１１１（図３参照）を、図４に示すように、その取出部１１０の面部１１１を容器本体１０１の内側に相当する蓋１０３の下端側に向けて押し込み、容器本体１０１の内側（つまり、蓋１０３の下端側）に凸となるように、その面部１１１を弾性変形させる。特に、取出孔１１２部分を最も下方に押し込むように面部１１１を弾性変形させる。
この面部１１１が下方に押し込まれて弾性変形することに伴い、取出孔１１２の開口が広がることとなる。特に、面部１１１の内面側（下面側）となる取出孔１１２の開口が、当初のサイズより広がるようになっている。
【００２９】
そして、この取出部１１０の面部１１１が下方に押し込まれて、容器本体１０１の内側に凸となるように弾性変形されたことによる面部１１１の応力が反発力となる。
この面部１１１の反発力によって、面部１１１が外側に凸となる当初の略球面形状に復元する際に、弾性変形された面部１１１において広がっていた取出孔１１２の開口のサイズが狭まって、当初のサイズに戻ることになる。
【００３０】
そこで、図４に示すように、下方に押し込まれて弾性変形された面部１１１の反発力によって、その面部１１１が当初の略球面形状に復元する際に、その開口のサイズが広がっている取出孔１１２部分である面部１１１の内面に家庭用薄葉紙Ｐの一端部をあてがうようにすることで、面部１１１の復元に伴い取出孔１１２の開口のサイズが狭まる際に、その取出孔１１２にあてがわれていた家庭用薄葉紙Ｐを取出孔１１２に食い込ませることができる。
そして、取出孔１１２に食い込んだ家庭用薄葉紙Ｐの一端部は面部１１１の外面側に露出するように、その取出孔１１２を通じて容器本体１０１（蓋１０３）の外側に導出される。なお、家庭用薄葉紙Ｐの一端が取出孔１１２から外側に僅かでも導出されていれば、その一端をつまんで引き出すことが可能となる。
【００３１】
そして、図５に示すように、取出部１１０の取出孔１１２に家庭用薄葉紙Ｐを挿通させた蓋１０３をボトル１０２に取り付けることで、家庭用薄葉紙収納容器１００に収納された家庭用薄葉紙Ｐが使用可能な状態となる。また、その取出部１１０を小蓋１２０で閉じることで、家庭用薄葉紙Ｐの詰め替えが完了する。
【００３２】
なお、ユーザが、家庭用薄葉紙収納容器１００から家庭用薄葉紙Ｐを引き出すとき、家庭用薄葉紙Ｐは、面部１１１の取出孔１１２に擦れながら引き出されることとなる。その際、引き出される家庭用薄葉紙Ｐとの摩擦力によって、面部１１１は家庭用薄葉紙Ｐが引き出される方向につられるように弾性変形して伸びる。そして、その弾性変形した取出部１１０の面部１１１が所定形状を維持する復元力によって、家庭用薄葉紙Ｐに家庭用薄葉紙Ｐを容器本体１０１側に引き戻そうとする力が作用するので、取出部１１０の取出孔１１２から引き出し中の家庭用薄葉紙Ｐと次の家庭用薄葉紙Ｐとの継ぎ目であるミシン目Ｐ１の部分まで引き出された際に、そのミシン目Ｐ１に沿って家庭用薄葉紙Ｐが切り離されることとなる。このミシン目Ｐ１で切り離されて家庭用薄葉紙収納容器１００から取り出された家庭用薄葉紙Ｐをユーザが使用可能とする。また、次の家庭用薄葉紙Ｐの一端が、取出部１１０に引き出し可能に保持される。
【００３３】
以上のように、本発明に係る家庭用薄葉紙収納容器１００は、弾性変形可能な取出部１１０を備えており、その取出部１１０の面部１１１を容器本体１０１の内側（蓋１０３の下端側）に押し込んで変形させることで取出孔１１２の開口を広げて、その取出孔１１２部分に家庭用薄葉紙Ｐの一端を接触させつつ面部１１１を当初の形状に復元させる際に、取出孔１１２に家庭用薄葉紙Ｐを食い込ませることができる。
このように、弾性変形させた取出部１１０を復元させる際に、面部１１１の取出孔１１２に家庭用薄葉紙Ｐを食い込ませて、その取出孔１１２を通じて容器本体１０１（蓋１０３）の外側に家庭用薄葉紙Ｐを導出させることができるので、その取出部１１０の取出孔１１２に家庭用薄葉紙Ｐを容易に挿通させることができる。
そして、家庭用薄葉紙Ｐを取出孔１１２に挿通させ易いので、家庭用薄葉紙収納容器１００に収納された家庭用薄葉紙Ｐを速やかに使用可能にすることができる。
つまり、この家庭用薄葉紙収納容器１００は、家庭用薄葉紙Ｐの詰め替えを容易に行うことができる収納容器であるといえる。
【００３４】
なお、上記実施形態では、容器本体１０１の内側（蓋１０３の下端側）に押し込んで弾性変形させた取出部１１０の面部１１１が自身の反発力によって自然に復元する際に、面部１１１の取出孔１１２に家庭用薄葉紙Ｐが食い込むことで、取出孔１１２に家庭用薄葉紙Ｐがワンタッチで挿通されるとしたが、本発明はこれに限らない。
例えば、取出部１１０の面部１１１を容器本体１０１の内側に押し込み弾性変形させて取出孔１１２の開口を広げることで、その取出孔１１２に家庭用薄葉紙Ｐを挿入しやすくし、その開口が広がった取出孔１１２に容易に家庭用薄葉紙Ｐを挿通させるようにしてもよい。
また、取出部１１０の取出孔１１２に挿入された家庭用薄葉紙Ｐの一端を上方に引き出すようにすることで、家庭用薄葉紙Ｐとともに面部１１１を引き上げて、取出部１１０を当初の形状に復元させるようにしてもよい。
【００３５】
なお、本発明は上記実施形態に限られるものではない。
例えば、図６、図７に示すように、家庭用薄葉紙収納容器１００における容器本体１０１の蓋１０３に備えられる取出部１１０ａの面部１１１に、小さな円孔１１２と、その円孔１１２の周囲に孔の開口サイズを広げやすく且つ狭めやすくする複数（図中４つ）のスリット１１４からなる取出孔１１２ａが形成されたものであってもよい。
この取出孔１１２ａは、図７（ａ）に示すように、面部１１１が容器本体１０１（蓋１０３）の外側に凸となる所定の略球面形状を維持する状態では、切込状のスリット１１４が閉じており、円孔１１２部分のみが小さな開口となって家庭用薄葉紙Ｐを挿通可能としている。
また、取出孔１１２ａは、図７（ｂ）に示すように、取出部１１０ａの面部１１１が下方に押し込まれて、容器本体１０１の内側に凸となるように弾性変形されることに応じてスリット１１４が開くので、円孔１１２のみが弾性変形で広がる場合に比べて大きく開口することとなる。
このような取出部１１０ａであれば、より大きく取出孔１１２ａが開くので、その取出孔１１２ａに家庭用薄葉紙Ｐをより一層挿通させ易くなり、家庭用薄葉紙収納容器１００に収納された家庭用薄葉紙Ｐを速やかに使用可能にすることができ、家庭用薄葉紙Ｐの詰め替えをより容易に行うことが可能になる。
【００３６】
また、図８に示すように、家庭用薄葉紙収納容器１００における容器本体１０１の蓋１０３に備えられる取出部１１０ｂの面部１１１に、細い隙間状の取出孔１１２ｂが形成されたものであってもよい。
【００３７】
なお、以上の実施の形態において、３種類の取出孔１１２、１１２ａ、１１２ｂの形状を例示したが、本発明はこれに限定されるものではなく、取出孔は、例えば、楕円形状、矩形形状など、その他の任意の形状であってよい。
【００３８】
また、以上の実施の形態においては、取出部の面部１１１は、容器本体１０１の外側に凸となる略球面形状であるとしたが、本発明はこれに限定されるものではなく、例えば、弾性変形によって取出孔の開口サイズを拡大・縮小可能であれば、フラットな平面を呈する面部であってもよい。
【００３９】
また、その他、具体的な細部構造等についても適宜に変更可能であることは勿論である。
【符号の説明】
【００４０】
１００  家庭用薄葉紙収納容器
１０１  容器本体
１０２  ボトル
１０３  蓋
１０４  凹部
１０５  円筒環状部
１０６  取付口
１１０、１１０ａ、１１０ｂ  取出部
１１１  面部
１１２、１１２ａ、１１２ｂ  取出孔
１１３  係着部
１１３ａ  括れ部
１１４  スリット
１２０  小蓋（蓋体）
１２１  嵌合部
Ｐ      家庭用薄葉紙
【図１】
2010247899.tif 000003
【図２】
2010247899.tif 000004
【図３】
2010247899.tif 000005
【図４】
2010247899.tif 000006
【図５】
2010247899.tif 000007
【図６】
2010247899.tif 000008
【図７】
2010247899.tif 000009
【図８】
2010247899.tif 000010